(57)【要約】    【課題】ブロードキャストされる情報ユニットに含まれるデータを知得して来店等の状況を偽装してサービスを不正に受けることに対処する。    【解決手段】ビーコン通信装置がＵＵＩＤ、メージャナンバー、マイナナンバーを含むアドバタイジングパケットをブロードキャストし、もって携帯端末がサービスを利用可能にする際に、アドバタイジングパケットに含まれる、ＵＵＩＤ等の、検証に利用できる情報を適宜更新し、その更新内容を外部装置が利用可能にし、アドバタイジングパケットに含まれる情報を偽装した不正なサービス要求を拒否する。【選択図】  図２
2015177511.tif 000002
【特許請求の範囲】
【請求項１】
サービスの内容を特定する固定の第１の情報、および、更新可能な所定の第２の情報を含む通信データユニットを所定の無線通信方式で送信する第１の通信手段と、
上記第２の情報を更新する更新手段と、
上記更新手段による更新の内容を上記所定の無線通信方式と異なる通信方式で外部装置に送信し、または上記外部装置から受信する第２の通信手段とを有することを特徴とする通信装置。
【請求項２】
上記所定の無線通信方式は、ブルートゥースロウエナジー（Ｂｌｕｅｔｏｏｔｈ  Ｌｏｗ  Ｅｎｅｒｇｙ、商標）であり、上記所定の第２の情報はＵＵＩＤである請求項１記載の通信装置。
【請求項３】
上記第２の通信手段の通信方式は有線または無線のローカルエリアネットワーク通信方式である請求項１または２記載の通信装置。
【請求項４】
上記更新手段による更新の内容は、更新した、または更新すべきＵＵＩＤである請求項２記載の通信装置。
【請求項５】
通信装置と、携帯型端末と、サーバ装置とからなるサービス管理システムにおいて、
上記通信装置は、
サービスの内容を特定する固定の第１の情報、および、更新可能な所定の第２の情報を含む通信データユニットを所定の無線通信方式で送信する第1の通信手段と、
上記第２の情報を更新する更新手段と、
上記更新手段による更新の内容を上記所定の無線通信方式と異なる通信方式で上記サーバ装置に送信し、または上記サーバ装置から受信する第２の通信手段とを有し、
上記携帯型端末は、
上記通信装置の上記第１の通信手段から送られてくる上記通信データユニットを受信する受信手段と、
受信した上記通信データユニットの含まれる上記第１の情報を含む情報ユニットを上記サーバ装置に送信する手段とを有し、
上記サーバ装置は、
上記携帯型端末から送られてくる上記情報ユニットに含まれる上記第１の情報が、上記通信手段の上記更新手段による更新の内容に対応するかどうかを検査する検査手段と、
上記検査手段に基づいて上記サービスに対応した処理を実行する実行手段とを有することを特徴とするサービス管理システム。
【請求項６】
上記サービスはポイント管理サービスである請求項５記載のサービス管理システム。
【発明の詳細な説明】
【技術分野】
【０００１】
この発明は、通信技術に関する。
【背景技術】
【０００２】
ワイヤレスデータ通信技術を用いて来店ポイントを処理することがある。施設内に設置された無線通信モジュールからポイントサービス情報をブロードキャストパケットで送信し、携帯端末でこれを受信し、サーバシステムにポイント付与要求を行うようになっている。無線通信手法は、無線ＬＡＮ、ＮＦＣ、Ｂｌｕｅｔｏｏｔｈ（商標）、ＺｉｇＢｅｅ（商標）等を使用できる。
【０００３】
近年、ＢｌｕｅｔｏｏｔｈＬＥ（商標）を利用してアドバタイジングパケットを用いて来店時にポイントが付与されるサービスが行われている。ところで、このアドバタイジングパケットに含まれるＵＵＩＤ（Ｕｎｉｖｅｒｓａｌｌｙ  Ｕｎｉｑｕｅ  Ｉｄｅｎｔｉｆｉｅｒ、Ｒｅｑｕｅｓｔ  Ｆｏｒ  Ｃｏｍｍｅｎｔ  ４１２３）等を知得して来店等を偽装することが可能であり、ポイント付与サービスを提供する上で問題となる。このような偽装は他のサービスを提供する場合にも問題になる。
【０００４】
なお、来店に関連してポイントが付与される技術は例えば特許文献１（特開２０１１−２３１６２２号公報）に説明されている。これは例えばポイントカードの情報を近距離無線で取得してポイントを付与する。
【０００５】
上述の従来技術やその問題点は、この発明の背景の一部を説明するためにのみ説明している。この発明は上述の従来技術や問題点に限定されるものではない点に留意されたい。
【先行技術文献】
【特許文献】
【０００６】
【特許文献１】特開２００１０−２３１６２２号公報
【発明の概要】
【発明が解決しようとする課題】
【０００７】
この発明は、以上の事情を考慮してなされたものであり、ブロードキャストされる情報ユニットに含まれるデータを知得して来店等の状況を偽装してサービスを不正に受けることに対処できる通信技術を提供することを目的としている。
【課題を解決するための手段】
【０００８】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００９】
すなわち、この発明の一側面によれば、上述の目的を達成するために、通信装置を：サービスの内容を特定する固定の第１の情報、および、更新可能な所定の第２の情報を含む通信データユニットを所定の無線通信方式で送信する第１の通信手段と；上記第２の情報を更新する更新手段と；上記更新手段による更新の内容を上記所定の無線通信方式と異なる通信方式で外部装置に送信し、または上記外部装置から受信する第２の通信手段とを含んで構成する。
【００１０】
この構成においては、通信データユニットに含まれる第２の情報の更新内容を外部装置が利用可能であるので、通信データユニットを偽装してサービスを不正に利用しようとしてもこれを防止することができる。
【００１１】
更新内容は、その内容を通信装置自体が決定して、その内容を外部装置に送信しても良いし、外部装置がその内容を決定して通信装置に送信しても良い。更新は、通信装置または外部装置における時間の経過等を含む任意のイベントに基づいて行って良い。
【００１２】
この構成において、所定の無線通信方式は、ブルートゥースロウエナジー（Ｂｌｕｅｔｏｏｔｈ  Ｌｏｗ  Ｅｎｅｒｇｙ、商標、ＢｌｕｅｔｏｏｔｈはＩＥＥＥ８０２．１５．１規格に準拠する）であり、上記所定の第２の情報はＵＵＩＤであるけれども、これに限定されない。ブルートゥースＬＥを用いたビーコンのブロードキャスト用のアドバタイジングパケットは、例えば、ＵＵＩＤ、メージャナンバー（Ｍａｊａｒ  ｎｕｍｂｅｒ）およびマイナナンバー（Ｍｉｎｏｒ  ｎｕｍｂｅｒ）を含み、メージャナンバーおよびマイナナンバーでサービスと特定してよい。マイナナンバーを無指定としてメージャナンバーのみでサービスと特定しても良い。ＵＵＩＤは通信装置に固有のものでもよいし、複数の通信装置で同一のＵＵＩＤを採用してしても良い。後者の場合、例えば、ＵＵＩＤを事業者識別に用い、メージャナンバーを店舗識別に用い、マイナナンバーを店舗内通信装置（ビーコン）識別に用いて良い。ＵＵＩＤの更新は、新しいＵＵＩＤを発生させて利用しても良いし、何らかのデータとの演算を行って更新しても良い。例えば、時刻データの全部または一部を用いて排他的論理演算を行って更新後の第２の情報として良い。
【００１３】
また、この構成において、第２の通信手段の通信方式は、有線または無線のローカルエリアネットワーク通信方式を含む、任意の通信方式であって良い。無線のローカルエリアネットワーク通信方式は、典型的には、ＩＥＥＥ ８０２．１１ｂ、ＩＥＥＥ８０２．１１ａ、ＩＥＥＥ８０２．１１ｇ、ＩＥＥＥ８０２．１１Ｎに準拠した無線ＬＡＮであるけれども、これに限定されない。無線ＬＡＮの通信ネットワークは、ルータを介してインターネット等に接続され、これを介して外部装置に接続されて良い。第２の通信手段は、通信を行う必要があるときのみ、通信可能な状態に設定され、その他の状態では低消費電力状態（ゼロの場合を含む）とすることができる。通信可能な状態への移行は、時間の経過等の任意のイベントに基づくようにして良い。
【００１４】
また、この構成において、更新手段による更新の内容は、更新した、または更新すべきＵＵＩＤであるけれども、予め定められた規則で更新の内容が決定される場合には、更新が行われたことを通知してもよい。通信装置と外部装置とが同期している場合には、更新の内容の送信または受信を省略できる。
【００１５】
また、この発明の他の側面によれば、サービス管理システムを、通信装置と、携帯型端末と、サーバ装置とから構成し、上記通信装置は、サービスの内容を特定する固定の第１の情報、および、更新可能な所定の第２の情報を含む通信データユニットを所定の無線通信方式で送信する第１の通信手段と、上記第２の情報を更新する更新手段と、上記更新手段による更新の内容を上記所定の無線通信方式と異なる通信方式で上記サーバ装置に送信し、または上記サーバ装置から受信する第２の通信手段とを有し、上記携帯型端末は、上記通信装置の上記第１の通信手段から送られてくる上記通信データユニットを受信する受信手段と、受信した上記通信データユニットの含まれる上記第１の情報を含む情報ユニットを上記サーバ装置に送信する手段とを有し、上記サーバ装置は、上記携帯型端末から送られてくる上記情報ユニットに含まれる上記第１の情報が、上記通信手段の上記更新手段による更新の内容に対応するかどうかを検査する検査手段と、上記検査手段に基づいて上記サービスに対応した処理を実行する実行手段とを有するように構成する。
【００１６】
この構成においては、通信データユニットに含まれる第２の情報の更新内容を外部装置が利用可能であるので、通信データユニットを偽装してサービスを不正に利用しようとしてもこれを防止することができる。サービスは典型的にはポイント付与等のサービスであるけれどもコンテンツの提供等、サーバ装置が提供する種々の任意のサービスに適用可能である。
【００１７】
携帯型端末または移動端末は、典型的には、携帯電話機であるけれども、携帯型コンピュータ、タブレット・コンピュータ、メディア・プレイヤ、パーソナルデジタルアシスタンツ、および、これら製品の２つ以上の組み合わせを含む、任意の装置であってよい。
【００１８】
サーバ装置は、典型的にはＨＴＴＰ準拠のウェブベースのサーバ装置であるけれども、他の通信方式に準拠した任意のサーバ装置であってもよい。
【００１９】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２０】
この発明の上述の側面および他の側面は特許請求の範囲に記載され以下実施例を用いて詳述される。
【発明の効果】
【００２１】
この発明によれば、ブロードキャストされる情報ユニットに含まれるデータを知得して来店等の状況を偽装してサービスを不正に受けることに対処できる。
【図面の簡単な説明】
【００２２】
【図１】この発明の実施例のポイント管理システムの実行される環境を説明する図である。
【図２】図１の送信装置の機能ブロック図である。
【図３】図１の携帯端末の機能ブロック図である。
【図４】図２の携帯端末の構成例を示すブロック図である。
【図５】図１のサーバ装置の機能ブロック図である。
【図６】この発明の実施例のポイント管理システムの全体のフローを説明する図である。
【図７】図６で用いるアドバタイジングパケットのフォーマット例を説明する図である。
【図８】サーバ装置の事業者データベースを説明する図である。
【図９】サーバ装置のユーザポイントデータベースを説明する図である。
【図１０】この発明の実施例のポイント管理システムにおけるＵＵＩＤ更新動作を説明する図である。
【図１１】図１の送信装置におけるＵＵＩＤ更新動作を説明する図である。
【図１２】図１の送信装置におけるＵＵＩＤ更新通知の動作を説明する図である。
【発明を実施するための形態】
【００２３】
以下、この発明の実施例について説明する。
【００２４】
図１は、この発明をポイント管理システムに適用した実施例を全体として示しており、この図において、ビーコン通信装置１００および無線ＬＡＮルータ４００が店舗施設７００内に固定して、また移動可能に配置されている。無線ＬＡＮルータ４００は、ＩＥＥＥ ８０２．１１ｂ、ＩＥＥＥ８０２．１１ａ、ＩＥＥＥ８０２．１１ｇ、またはＩＥＥＥ８０２．１１Ｎに準拠してビーコン通信装置１００と無線通信を行うようになっている。無線ＬＡＮルータ４００はインターネット等の通信ネットワーク６００に接続され、通信ネットワーク６００にはサーバ装置３００が接続されている。サーバ装置３００は典型的にはＨＴＴＰに準拠したウェブサーバであるけれどもこれに限定されない。店舗施設７００内には顧客の移動に伴って携帯端末２００が存在して良い。携帯端末２００は、典型的には携帯電話機であるけれども、携帯型コンピュータ、タブレット・コンピュータ、メディア・プレイヤ、パーソナルデジタルアシスタンツ、および、これら製品の２つ以上の組み合わせを含む、任意の装置であってよい。携帯端末２００はパケット通信網等を介して、さらに、移動体通信会社の通信センタのゲートウェイ５００を介して、インターネット等の通信ネットワーク６００に接続され、さらにこれを介してサーバ装置３００に接続可能である。携帯端末２００はビーコン通信装置１００の所定の距離範囲にあるときにその微弱電波のビーコン信号を受信可能である。ビーコン信号は、典型的にはブルーツゥースＬＥ（ＩＥＥＥ８０２．１５．１）に準拠してブロードキャスト送信されるアドバタイジングパケットであるけれども、これに限定されない。
【００２５】
なお、図１は、ビーコン通信装置１００が１つの例を示すけれども、店舗施設７００中に離間して、例えば、異なる階に、個別のビーコン通信装置１００を設けても良いし、１事業者が複数の店舗施設７００を運営して、それぞれに店舗施設に、１または複数のビーコン通信装置１００や１または複数の無線ＬＡＮルータ４００を設けても良い。
【００２６】
ビーコン通信装置１００は例えば図７に示すアドバタイジングパケットを微弱電波でブロードキャスト送信し、近距離にある携帯端末２００がこれを受信する。携帯端末２００はアドバタイジングパケット中の所定のデータ、例えば、ＵＵＩＤを含むデータをサーバ装置３００に送信し、サーバ装置３００は、このＵＵＩＤ等を含むデータを受け取って、携帯端末２００に対応するユーザアカウントにポイントを加算して良い。ポイントサービス（事業者）ごとにＵＵＩＤは固有なものであって良く、サーバ装置３００は、受信したＵＵＩＤが真正なものである場合に限ってポイントを加算する。
【００２７】
ビーコン通信装置１００はＵＵＩＤのデータを保持しており、これを所定の規則、または所定のイベントの発生に応じて更新し、その更新した内容、例えば、新たなＵＵＩＤを無線ＬＡＮルータ４００、およびインターネット等の通信ネットワーク６００を介してサーバ装置３００に送信する。サーバ装置３００は更新した内容に基づいてＵＵＩＤの真正を判断できる。
【００２８】
図２は、ビーコン通信装置１００の機能ブロックを示し、この図において、ビーコン通信装置１００は、ビーコン送信部１０１、無線ＬＡＮ送受信部１０３、およびＵＵＩＤ更新部１０２を含む。ビーコン送信部１０１は、ブルーツゥースＬＥに準拠してアドバタイジングパケットをブロードキャスト送信するものであり、このパケットは先に説明したようにＵＵＩＤ、メージャナンバー、およびマイナナンバーを含む（図７）。ビーコン送信部１０１はＵＵＩＤ、メージャナンバー、およびマイナナンバーを含むデータを記憶するデータ記憶部１０１ａを含む。データ記憶部１０１ａはビーコン送信部１０１の外部に設けても良い。ＵＵＩＤ更新部１０２は、ＵＵＩＤを新たに発生してデータ記憶部１０１ａに記憶されているＵＵＩＤを更新書込する。ＵＵＩＤは疑似乱数発生器を用いて発生したり、ＭＡＣアドレスを用いて発生させることができる。無線ＬＡＮ送受信部１０３は、無線ＬＡＮの信号を送受信できる。この例では、ＵＵＩＤ更新部１０２が更新書込のために生成した新たなＵＵＩＤを好ましくはメージャナンバーおよびマイナナンバーとともにサーバ装置３００に向けて送信する。これによりサーバ装置３００が最新のＵＵＩＤの情報を反映するようにできる。
【００２９】
なお、単一の事業者（またはサービス）が複数のビーコン通信装置１００を利用する場合には該当する複数のビーコン通信装置１００が同一のＵＵＩＤを保持することが好ましい。この場合、１のビーコン通信装置１００が他のビーコン通信装置１００にＵＵＩＤの更新を通知して動機的にＵＵＩＤが更新されることが好ましい。
【００３０】
図３は、携帯端末２００の機能ブロックをこの発明に関連する部分を中心にして示しており、この図において、携帯端末２００は、ビーコン受信部２０１、ポイント加算要求部２０２、確認処理部２０３を含む。これら機能部分は図４に説明する携帯端末２００のハードウェアおよびソフトウェアを組み合わせて形成される。ビーコン受信部２０１は、ビーコン通信装置１００からブロードキャスト送信されてくるアドバタイジングパケットをブルートゥースＬＥに準拠して受信するものである。ビーコン受信部２０１は、アドバタイジングパケットからＵＵＩＤ、メージャナンバーおよびマイナナンバーを取得し、さらにその電波強度に基づいて、近接（ｉｍｍｅｄｉａｔｅ）、近い（ｎｅａｒ、例えば１ｍ以内）、遠い（ｆａｒ、例えば１ｍ以遠）というカテゴリの距離情報（ｐｒｏｘｉｍｉｔｙ）を取得し、これをポイント加算要求部２０２に供給する。ポイント加算要求部２０２は、これらの情報を引数として含むポイント加算要求を生成してサーバ装置３００に送信する。確認処理部２０３は、サーバ装置３００からの応答に基づいてポイント加算が成功したかどうかについての情報を取得し、成功した場合にはステータス記憶部２０４にその時刻等の情報をＵＵＩＤ、メージャナンバーおよびマイナナンバーをとともに記憶する。ステータス記憶部２０４の情報に基づいて、同日内には１回分のポイントしか加算しないようにする等、種々の管理を行える。
【００３１】
なお、携帯端末２００は、ここに説明する、来店時のポイント加算サービスに加えて、他のサービスを提供するために設けられた他のビーコン送信装置から送られてくる同様なアドバタイジングパケットに応じて当該他のビーコン通信装置に対応するサービスを要求して良い。
【００３２】
図４は、携帯端末２００の構成例を示し、この図において、携帯端末２００は、処理システム２１０、メモリ２２０、入出力サブシステム２３０、高周波回路部２４０、および音声回路部２５０を含む。構成要素の各々は、適宜、信号処理集積回路、特定用途向け集積回路、を含むハードウェア、ソフトウェア、またはこれらを組み合わせて実現できる。高周波回路部２４０は、他の装置に、無線リンクまたはネットワーク上で情報を送信・受信するのに用いられ、この機能を実行するために、アンテナ・システム、ＲＦ送受信機、増幅器、チューナ、発振器、デジタル信号プロセッサ、ＣＯＤＥＣチップセット、メモリ、その他の周知の回路構成を含むがこれらに限られない。高周波回路部２４０は、時分割多重アクセス（ＴＤＭＡ）、符号分割多重接続（ＣＤＭＡ）等のモバイル通信、無線ＬＡＮ（ＩＥＥＥ ８０２．１１ｂ、ＩＥＥＥ８０２．１１ａ、ＩＥＥＥ８０２．１１ｇ及び／又はＩＥＥＥ８０２．１１Ｎ）、ブルートゥース（ＩＥＥＥ８０２．１５．１）、Ｗｉ−ＭＡＸ（ＩＥＥＥ８０２．１６）等の通信プロトコルを利用できるけれども、これに限定されない。音声回路部２５０は、音声スピーカ２５１とマイクロフォン２５２に連結される。処理システム２１０はプロセッサ２１１、メモリコントローラ２１２、周辺装置印サーフェース２１３を含む、メモリ２２０は、プロセッサ２１１が実行するコードやデータを格納する。メモリ２１０は、ＲＡＭ、ＲＯＭ、ＦＬＡＳＨ、ディスク・ドライブ、磁気テープ等の任意の記憶装置を含んで良い。プロセッサ２１１は、メモリ２２０に格納された多様なソフトウェア・コンポーネントを実行する。例えば、ソフトウェア・コンポーネントは、オペレーティング・システム２２１、通信モジュール２２２、接触／動作モジュール２２３、グラフィック・モジュール２２４、アプリケーション２２５、タイマ・モジュール２２６、およびウェブ・ブラウザ・モジュール２２７を含む。アプリケーション２２５は、ブラウザ、アドレス帳、電子メール、暗号化、グローバル・ポジショニング・システム（ＧＰＳ）等の位置決定能力を含む。入出力サブシステム２３０はタッチパネル２３１等を制御する。
【００３３】
さきに述べたように図３の各種機能は図４のハードウェア資源およびソフトウェア資源として実現され、例えば、図３のポイント加算要求部２０２および確認処理部２０３は、外部から入手可能なアプリケーション２２５をメモリ２２０にインストールして実現できる。
【００３４】
図５は、サーバ装置３００の機能ブロックをこの発明に関連する部分を中心に示しており、この図において、サーバ装置３００は、典型的には、ＨＴＴＰ準拠で送受信を行うウェブサーバであり、種々のアプリケーションモジュールを含み、また、アプリケーションサーバやデータベース管理サーバを含んで良い。
【００３５】
サーバ装置３００は、複数の異なる店舗にそれぞれ配置されたビーコン通信装置１００からのポイント加算要求を受け付けて処理できる。
【００３６】
サーバ装置３００は、ポイント加算要求受信部３０１、ポイント加算要求検査部３０２、ポイント加算処理部３０３、更新内容受信部３０４、事業者データベース３０５、ユーザポイントデータベース３０６を含む。事業者データベース３０５（図８）は、事業者ごとに事業者ＩＤ、ＵＵＩＤ、メージャナンバー、マイナナンバー、距離情報、ＵＲＬ等を含んでいる。ユーザポイントデータベース３０６は、ユーザＩＤ、店舗、ポイント等を含む。ポイント加算要求受信部３０１は携帯端末２００からビーコン信号に応じたポイント加算要求を受取り、ポイント加算要求検査部３０２は、ＵＵＩＤ、メージャナンバーおよびマイナナンバー（メージャナンバーのみの場合もある）で事業者データベース３０５を表引きして対応する行があれば、ポイント加算処理部３０３が該当するユーザについてユーザポイントデータベース３０６においてポイント加算を行う。ユーザポイントデータベース３０６（図９）は、ユーザ、店舗およびポイント等の情報を保持する。更新内容受信部３０４はビーコン通信装置１００からルータ４００、通信ネットワーク６００を介して送られてきた更新内容情報を受信し、事業者データベース３０５のＵＵＩＤを更新書き込みする。更新内容情報は、例えば新たなＵＵＩＤ、メージャナンバー、マイナナンバーを含み、これらメージャナンバーおよびマイナナンバー、または、メージャナンバーで特定される事業者のＵＵＩＤのデータを更新書き込みする。
【００３７】
また、携帯端末２００が、ビーコン通信装置１００のアドバタイジングパケットをスキャン（監視）するときにアドバタイジングパケットのＵＵＩＤの指定が必須である場合には、ビーコン通信装置１００において事業者（サービス）のＵＵＩＤを変更したときに変更後の新たなＵＵＩＤの値をＰＵＳＨ通知により各携帯端末２００に通知し、各携帯端末における監視対象のＵＵＩＤを更新することが好ましい。例えば、ｉＯＳ（商標）の場合ＡＰＮｓ（Ａｐｐｌｅ  Ｐｕｓｈ  Ｎｏｔｉｆｉｃａｔｉｏｎ  Ｓｅｒｖｉｃｅ、商標）を使用して、携帯端末２００のアプリケーションに対してデバイストークンを用いたＰＵＳＨ通知を実行できる。また、携帯端末２００から定期的にサーバ装置３００等に対してポーリングを行って新たなＵＵＩＤを取得しても良い。この場合、店舗施設において過去に取得したＵＵＩＤを不正に利用してビーコン通信装置１００を偽装しても、ＵＵＩＤ更新後においては、不正利用したＵＵＩＤは携帯電話機２００では監視対象でないので、サービスが提供されない。
【００３８】
なお、同一の事業者が複数のビーコン通信装置を運営している場合には、ビーコン通信装置ごとにメージャナンバーまたはマイナナンバーを変え、ビーコン通信装置１００ごとに事業者データベース３０５においてＵＵＩＤの値を同一とする個別のレコードとして管理して良い。この場合、ＵＵＩＤの値を同一とするレコードは同様にＵＵＩＤの値を更新書き込みされる。
【００３９】
図６はポイント加算処理の全体の流れを示すものであり、この図において、ビーコン通信装置１００がビーコン信号（アドバタイジングパケット、図７）を間欠的にブロードキャストし、これに近づいた携帯端末２００がこれを受信し（Ｓ１０）、これに基づいてポイント加算要求（ＵＵＩＤ、メージャナンバー、マイナナンバーを含む）を生成し、サーバ装置３００に送信する（Ｓ１１）。なお、携帯端末２００またはそのアプリケーションがビーコン信号を監視する際にＵＵＩＤが必須である場合には、更新前の古いＵＵＩＤを不正に利用して偽装した場合には、ＵＵＩＤが異なるのでこの時点でビーコン信号を有意に判別できず、不正にサービスを提供することがない。サーバ装置３００は、ポイント加算要求を受信して、そのＵＵＩＤがメージャナンバー、マイナナンバーに対応した真正なものであるかどうかを事業者（サービス）データベース３０５を参照して検査する。例えば、ポイント加算要求中のメージャナンバーおよびマイナナンバーで事業者データベース３０５を表引きして対応するＵＵＩＤを取り出し、これが、ポイント加算要求中のＵＵＩＤと一致するかどうかを検査する。この検査の結果、ポイント加算要求中のＵＵＩＤが真正なものであれば、当該携帯端末２００に対応するユーザについて当該店舗に関してポイントを加算し、そのでない場合にはエラー処理する。こののち、処理結果を携帯端末２００に送信し（Ｓ１２）、さらに必要であれば該当する店舗の広告等のウェブページを送信する。
【００４０】
図１０は、ビーコン通信装置１００およびサーバ装置３００におけるＵＵＩＤの更新動作を説明するものであり、ビーコン通信装置１００は、ＵＵＩＤを更新したときにサーバ装置３００にこれを通知し（Ｓ２０）、サーバ装置３００はこれに応じてその複製であるＵＵＩＤを更新し応答確認をビーコン通信装置１００に返す（Ｓ２１）。携帯端末２００が、ビーコン通信装置１００のアドバタイジングパケットをスキャン（監視）するときにアドバタイジングパケットのＵＵＩＤの指定が必須である場合には、ビーコン通信装置１００において事業者（サービス）のＵＵＩＤを変更したときに変更後の新たなＵＵＩＤの値をＰＵＳＨ通知により各携帯端末２００に通知して更新要求して良い（Ｓ２２）。
【００４１】
図１１はビーコン通信装置１００におけるＵＵＩＤ更新動作例を説明するものであり、この図において、ビーコン通信装置１００のＵＵＩＤ更新部１０２は、所定のイベント、例えば時刻の経過に基づいて、更新動作を開始する。まず、新たなＵＵＩＤが例えば疑似乱数発生器により生成される（Ｓ３０）。新たなＵＵＩＤは、データ記憶部１０１ａのＵＵＩＤ部分の更新書き込みを行い（Ｓ３１）、更新内容（例えば、新たなＵＵＩＤ、メージャナンバーおよびマイナナンバー）の通知を無線ＬＡＮ送受信部１０３に要求する（Ｓ３２）。無線ＬＡＮ送受信部１０３から、通知が成功裏に行われたという通知を得て処理を終了する（Ｓ３３）。
【００４２】
図１２は、ビーコン通信装置１００の更新内容通知の動作例を説明するものであり、この図において、無線ＬＡＮ送受信部１０３は、ＵＵＩＤ更新部１０２から通知要求を受け取ると、低消費電力動作（ゼロ電力を含む）から無線ＬＡＮ通信可能な起動状態に遷移し（Ｓ４０）、この後、受け取った更新内容をサーバ装置３００に通知する（Ｓ４２）。サーバ装置３００から確認通知を受け、その後、これをさらに、ＵＵＩＤ更新部１０２に通知し（Ｓ４２）、この後、低消費電力状態に遷移して処理を終了する（Ｓ４３）。なお、無線ＬＡＮ送信部１０３は更新内容の通知に先立って通信可能な状態に復帰すればよく、それまでは、低消費電力動作（ゼロ電力を含む）であってよい。
【００４３】
以上で実施例の説明を終了する。
【００４４】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。
【００４５】
例えば、上述の実施例では、ビーコン通信装置からサーバ装置にＵＵＩＤ等の更新内容を送信したけれども、サーバ装置からビーコン通信装置に更新内容を送信して、これに基づいてビーコン通信装置においてＵＵＩＤが更新されて良い。また、ＵＵＩＤをどのように更新するかを予め定めておけばその更新態様を指示することによりビーコン通信装置とサーバ装置との間でＵＵＩＤ等の一貫性を保持するようにしてもよい。
【００４６】
また、ＵＵＩＤに替えて、またはこれに合わせて、携帯端末がサーバ装置と接続するときの無線ＬＡＮルータのＳＳＩＤ、ＭＡＣアドレス、ＩＰアドレスをチェックして偽装を検査しても良い。また、携帯端末からＧＰＳ等の位置情報を送り、または移動体通信による位置情報を送り、偽装を検査してもよい。
【符号の説明】
【００４７】
１００    ビーコン通信装置
１０１    ビーコン送信部
１０１ａ    データ記憶部
１０２    ＵＵＩＤ更新部
１０３    無線ＬＡＮ送受信部
２００    携帯端末
２０１    ビーコン受信部
２０２    ポイント加算要求部
２０３    確認処理部
２０４    ステータス記憶部
２２５    アアプリケーション
３００    サーバ装置
３０１    ポイント加算要求受信部
３０２    ポイント加算要求検査部
３０３    ポイント加算処理部
３０４    更新内容受信部
３０５    事業者データベース
３０６    ユーザポイントデータベース
４００    無線ＬＡＮルータ
５００    ゲートウェイ
６００    通信ネットワーク
７００    店舗施設
【図１】
2015177511.tif 000003
【図２】
2015177511.tif 000004
【図３】
2015177511.tif 000005
【図４】
2015177511.tif 000006
【図５】
2015177511.tif 000007
【図６】
2015177511.tif 000008
【図７】
2015177511.tif 000009
【図８】
2015177511.tif 000010
【図９】
2015177511.tif 000011
【図１０】
2015177511.tif 000012
【図１１】
2015177511.tif 000013
【図１２】
2015177511.tif 000014